(57)【要約】【課題】携帯情報端末機に内蔵されているバーコード読取機を用いたバーコード読取作業において、携帯情報端末機の液晶表示部から視線をほとんど外すことなく、円滑なバーコード読取作業を実現する。【解決手段】表示面又は操作面にほぼ平行にレーザー光を出射し、バーコードで反射したレーザー光を受け入れるレーザー光出入口１２を備えたバーコード読取機１１が内蔵された携帯情報端末機１において、前記レーザー光出入口１２から出射するレーザー光４０に対して、略４５度傾斜したハーフミラーからなる反射板２０を前記レーザー光出入口１２の前方に取付部材３０を介して取り付けた。【選択図】図１
2005011069.tif 000002
【特許請求の範囲】
【請求項１】
表示面又は操作面にほぼ平行にレーザー光を出射し、バーコードで反射したレーザー光を受け入れるレーザー光出入口を備えたバーコード読取機が内蔵された携帯情報端末機において、前記レーザー光出入口から出射するレーザー光に対して、略４５度傾斜したハーフミラーからなる反射板を前記レーザー光出入口の前方に取付部材を介して取り付けたことを特徴とする、バーコード読取機内蔵の携帯情報端末機。
【請求項２】
前記取付部材は、前記携帯情報端末機に取り付けた取付部と、折曲部と、前記反射板を取り付けた傾斜部とで構成され、少なくとも前記傾斜部が透明材料からなることを特徴とする、請求項１に記載のバーコード読取機内蔵の携帯情報端末機。
【請求項３】
前記反射板は、金属蒸着層が形成された透明プレートからなることを特徴とする、請求項１又は２に記載のバーコード読取機内蔵の携帯情報端末機。
【請求項４】
前記取付部材の折曲部は、ヒンジからなることを特徴とする、請求項２又は３に記載のバーコード読取機内蔵の携帯情報端末機。
【発明の詳細な説明】
【０００１】
【発明の属する技術分野】
本発明は、バーコード読取機内蔵の携帯情報端末機に関する。
【０００２】
【従来の技術】
バーコード読取機内蔵の携帯情報端末機は、現在、病院、店舗、工場等において広く使用されている。例えば、病院内では、患者に投与する薬剤の容器に、患者や処置方法等の情報が入力されたバーコードが貼付されており、このバーコードを携帯情報端末機に内蔵されているバーコード読取機でスキャンして、投与する薬剤の取り違いがないかの事前のチェックが行われている。これにより、患者に関係のない薬剤が投与されるという医療事故を未然に防止することができ、患者に対する病院内での安全性の確保が図られている。また、店舗、工場等では、在庫商品の入出庫を管理するために、商品の入った箱等にバーコードが貼付される。このバーコードをバーコード読取機でスキャンして、店舗等に商品が入庫したときには、入庫登録を行い、反対に商品が出庫したときには、出庫登録を行う。これにより、店舗内等における作業効率の向上と商品管理の一元化が図られることになる。
【０００３】
バーコード読取機内蔵の携帯情報端末機を用いて、下方にあるバーコードをスキャンする場合、レーザー光出入口をバーコードのある下方に向けてレーザー光を照射しなければならず、バーコードの読取作業と並行して液晶表示部の内容を確認するには不便であった。
【０００４】
レーザー光出入口をバーコードに向けなくてもレーザー光を照射できる手段として、従来は、例えば、実開平４−５８７７６号において、バーコードスキャナー装置のスキャナー装置本体に、反射角度の調節が可能な鏡を設けたものが開示されている（例えば、特許文献１参照。）。
【０００５】
このようなバーコードスキャナー装置本体に設けられた反射鏡のように、携帯情報端末機においても、取付部と、折曲部と、反射面を形成した傾斜部とで構成された反射板を、レーザー光出入口の前方に前記反射面が位置するように携帯情報端末機本体に取り付けることが考えられる。前記反射面の反射角度が反射板の折曲により調節されているので、携帯情報端末機をバーコードに対して水平にしたままでも、レーザー光出入口から出射したレーザー光をバーコードに照射することが可能となる。また、この反射板によって、バーコードで反射したレーザー光をレーザー光出入口に戻すこともできる。したがって、前記のような反射板が携帯情報端末機本体に取り付けられれば、バーコードが下方にある場合でも、液晶表示部の内容を確認しながらバーコードの読取作業を行うことができる。
【０００６】
【特許文献１】
実開平４−５８７７６号公報
【０００７】
【発明が解決しようとする課題】
しかしながら、前記反射板が携帯情報端末機本体に取り付けられた場合、携帯情報端末機を水平に向けた状態で使用することになるので、バーコード及びこのバーコードに照射されたレーザー光が、携帯情報端末機本体又はこの本体に取り付けられた反射板によって遮られることになる。このため、前記反射板が取り付けられていない携帯情報端末機に比べて、使用者は、バーコード及びこのバーコードに照射されたレーザー光を確認しづらくなる。
【０００８】
したがって、誤ってバーコードからずれた位置にレーザー光が照射された場合には、液晶表示部から視線を外して、正確なバーコードの位置とレーザー光の照射位置を確認しながら、読取作業を行う必要がある。このため、前記反射板を携帯情報端末機本体に取り付けるだけでは、バーコードの読取作業を円滑に行うことができないという問題点がある。
【０００９】
本発明は、かかる問題点を解消するため、レーザー光の反射面を備えた反射板を取り付けた携帯情報端末機において、レーザー光出入口からバーコードにレーザー光が照射された場合に、バーコード及びこのバーコードに照射されるレーザー光を反射板上から確認できるものを提供し、これにより、携帯情報端末機の液晶表示部から視線をほとんど外すことなく、円滑なバーコードの読取作業を実現できることを目的とするものである。
【００１０】
【課題を解決するための手段】
前記課題を解決するための手段として、本発明は、表示面又は操作面にほぼ平行にレーザー光を出射し、バーコードで反射したレーザー光を受け入れるレーザー光出入口を備えたバーコード読取機が内蔵された携帯情報端末機において、前記レーザー光出入口から出射するレーザー光に対して、略４５度傾斜したハーフミラーからなる反射板を前記レーザー光出入口の前方に取付部材を介して取り付けたものである。
【００１１】
本発明が以上のように構成されていることにより、携帯情報端末機本体のレーザー光出入口から出射されたレーザー光は、ハーフミラーからなる反射板で反射し、バーコードに照射される。また、このバーコードに照射されて反射したレーザー光の一部は、前記反射板で反射してレーザー光出入口に戻るので、レーザー光出入口をバーコードに向けずに、バーコードの読取作業ができる。前記反射板で反射しなかったレーザー光は、前記反射板を通過するため、反射板上からバーコード及びこのバーコードに照射されているレーザー光を視認することができる。これにより、携帯情報端末機の液晶表示部から、ほとんど視線を外すことなく、バーコードの読取作業を円滑に行うことが可能となる。
【００１２】
前記取付部材は、前記携帯情報端末機に取り付けた取付部と、折曲部と、前記反射板を取り付けた傾斜部とで構成され、少なくとも前記傾斜部が透明材料からなるようにしてもよい。
【００１３】
前記反射板は、金属蒸着層が形成された透明プレートからなるようにしてもよい。
【００１４】
前記取付部材の折曲部は、ヒンジからなるようにしてもよい。この場合、透明カバーの折曲を可変調節することができるので、前記反射板で反射するレーザー光の反射角度を自由に変更することができる。これにより、バーコードの位置によって、液晶表示部を確認できる適切な反射角度を設定して、レーザー光を照射することが可能となる。
【００１５】
【発明の実施の形態】
以下、添付の図面に従って、本発明の実施形態を説明するが、説明及び図示されたものに、本発明の実施形態が限定されるものではない。
【００１６】
図１は、バーコードにレーザー光が照射されている状態の本発明のバーコード読取機内蔵の携帯情報端末機を示している。本発明の携帯情報端末機１は、携帯情報端末機本体１０と、反射板２０と、取付部材３０とで構成されている。
【００１７】
携帯情報端末機本体１０は、矩形で、その表面に液晶表示部１３と各種操作ボタンを有し、先端部の左寄りにバーコード読取機１１が内蔵されている。バーコード読取機１１は、液晶表示部１３の面にほぼ平行にレーザー光を出射し、バーコード５０で反射したレーザー光を受け入れるためのレーザー光出入口１２を、携帯情報端末機本体１０の先端面に備えている。
【００１８】
反射板２０は、図２に示したように、取付部材３０を介して前記携帯情報端末機本体１０に取り付けられている。反射板２０は、ガラス、透明樹脂等の透明プレート２１の裏面に、金、錫などの金属が蒸着されて、金属蒸着層２２が形成され、暗所側から明所側への透視が可能なハーフミラーとしての機能を果たすように、金属蒸着層２２の層厚が調整されている。金属蒸着層２２は、レーザー光出入口１２からの出射光４０及びバーコード５０からの反射光４１の一部４１ａを反射させる反射面２３を形成する。
【００１９】
取付部材３０は、矩形で、透明樹脂等で形成され、基端側に位置する取付部３１と、該取付部３１に隣接する折曲部３２と、該折曲部３２から先端側に向って傾斜する傾斜部３３とで構成されている。この折曲部３２は、傾斜面３３がレーザー光出入口１２から出射されるレーザー光を受け、その進行方向に対して、略４５度傾斜するように、折曲されている。取付部材３０の取付部３１は、両面テープ、ネジ等を用いて携帯情報端末機本体１０の先端部上面左側に取り付けられ、これにより、傾斜部３３に取り付けられた反射板２０が前記レーザー光出入口１２の前方に位置する。
【００２０】
次に、前記構成からなるバーコード読取機内蔵の携帯情報端末機を用いて、バーコードにレーザー光を照射した場合の作用について説明する。
【００２１】
まず、携帯情報端末機本体１０のバーコード読取機１１のレーザー光出入口１２からレーザー光４０が出射されると、レーザー光４０は、図２に示したように、金属蒸着層２２の反射面２３で反射する。これにより、レーザー光出入口１２をバーコード５０に向けなくても、出射したレーザー光４０が照射される。
【００２２】
バーコード５０で反射した反射光４１の一部４１ａは、金属蒸着層２２の反射面２３で反射し、レーザー光出入口１２を経て、バーコード読取機１１に戻る。バーコード読取機１１は、このレーザー光４１ａの反射光量からバーコードを読み取る。
【００２３】
また、反射面２３で反射しなかった反射光４１ｂは、金属蒸着層２２を通過するので、金属蒸着層２２は、暗所側から明所側を透視することができるハーフミラーとしての機能を果たす。これにより、バーコード５０及びこのバーコード５０に照射されたレーザー光４０を、反射板２０上から視認することができる。
【００２４】
なお、前記実施例では、取付部材３０の折曲部３２が塑性変形により折曲されているが、この折曲部３２にヒンジを設けて、反射板２０のレーザー光の反射角度を可変調節することができるようにしてもよい。
【００２５】
前記反射板２０の反射角度を自由に変更することができれば、バーコードの位置によって、液晶表示部を確認できる適切な反射角度を設定することが可能となる。
【００２６】
また、取付部材３０は、眼鏡枠のようなフレームで反射板２０を固定して、このフレームの一部から延設された棒状部の端部に取付部を設けて、携帯情報端末機本体に取り付けることができるように構成されてもよい。
【００２７】
【発明の効果】
以上の説明から明らかなように、本発明によれば、レーザー光出入口をバーコードに向けずに、バーコードの読取作業ができる。また、反射板上からバーコード及びこのバーコードに照射されているレーザー光を視認することができる。これにより、携帯情報端末機の液晶表示部から、ほとんど視線を外すことなく、バーコードの読取作業を円滑に行うことが可能となる。
【図面の簡単な説明】
【図１】バーコードにレーザー光が照射されている状態を示した本発明のバーコード読取機内蔵の携帯情報端末機の正面図である。
【図２】レーザー光出入口から出射したレーザー光及びバーコードで反射したレーザー光の進行方向を示した概略図である。
【符号の説明】
１  携帯情報端末機
１０  携帯情報端末機本体
１１  バーコード読取機
１２  レーザー光出入口
１３  液晶表示部
２０  反射板
２１  透明プレート
２２  金属蒸着層
２３  反射面
３０  取付部材
３１  取付部
３２  折曲部
３３  傾斜部
４０  レーザー光出入口から出射したレーザー光
４１  バーコードで反射したレーザー光
４１ａ  反射面で反射したレーザー光
４１ｂ  金属蒸着層を通過したレーザー光
５０  バーコード
【図１】
2005011069.tif 000003
【図２】
2005011069.tif 000004